(57)【特許請求の範囲】
【請求項１】
構造物（１）に固定される本体ベース（２）の表面（３）に、外部から導入した光ファイバケーブル（４）を引き留め、この光ファイバケーブル（４）から導出した光ファイバ（５）を分岐させて、出力側光ファイバ（６）と接続し、出力側光ファイバ（６）を室内側へ導出するようにした光ファイバケーブル成端箱（７）であって、
本体ベース（２）の表面（３）に、
光ファイバケーブル（４）から導出された光ファイバ（５）と該光ファイバ（５）とは別の光ファイバからなる余長部（９）とを融着接続した接続部及び接続余長を収納したカセット（１８）が複数配列されてなる接続部収納部（１７）と、
前記余長部を構成する光ファイバを保持するプレート部（１２）に、前記余長部（９）の一端（９ａ）と前記出力側光ファイバ（６）の一端（６ａ）とを切り替え可能に接続する光コネクタアダプタ（１６、１６、…）が配列されたアダプタユニット（２３）が固定されてなるユニット（１１）を、前記本体ベース（２）に対して複数積層状態に配置して、上下に隣り合うユニット（１１）同士をヒンジ（２４）を介して回動自在に連結してなる接続ユニット（１０）とが取り付けられ、
成端箱のケーシング（Ｃ）に、光コネクタアダプタ（１６）を露出させて、光コネクタアダプタ（１６）への出力側光ファイバ６の一端（６ａ）の接続を可能とする切欠部（３０）が設けられ、
接続ユニット（１０）は本体ベース（２）に対し、成端箱において前記本体ベース（２）の表面（３）に対面する側から操作可能なネジにより着脱自在に固定されていることを特徴とする光ファイバケーブル成端箱（７）。
【請求項２】
構造物（１）に固定される本体ベース（２）の表面（３）に、外部から導入した光ファイバケーブル（４）を引き留め、この光ファイバケーブル（４）から導出した光ファイバ（５）を分岐させて、出力側光ファイバ（６）と接続し、出力側光ファイバ（６）を室内側へ導出するようにした光ファイバケーブル成端箱（７）であって、
本体ベース（２）の表面（３）に、
光ファイバケーブル（４）から導出された光ファイバ（５）と該光ファイバ（５）とは別の光ファイバからなる余長部（９）とを融着接続した接続部及び接続余長を収納したカセット（１８）が複数配列されてなる接続部収納部（１７）と、
前記余長部を構成する光ファイバを保持するプレート部（１２）に、前記余長部（９）の一端（９ａ）と前記出力側光ファイバ（６）の一端（６ａ）とを切り替え可能に接続する光コネクタアダプタ（１６、１６、…）が配列されたアダプタユニット（２３）が固定されてなるユニット（１１）を、前記本体ベース（２）に対して複数積層状態に配置して、上下に隣り合うユニット（１１）同士をヒンジ（２４）を介して回動自在に連結してなる接続ユニット（１０）とが取り付けられ、
成端箱のケーシング（Ｃ）に、光コネクタアダプタ（１６）を露出させて、光コネクタアダプタ（１６）への出力側光ファイバ６の一端（６ａ）の接続を可能とする切欠部（３０）が設けられていることを特徴とする光ファイバケーブル成端箱（７）。
【請求項３】
前記接続ユニット（１０）は、該接続ユニットのユニット１１のうち最下段に位置するものをネジによって取り付けるようになっており、全体として本体ベース（２）に着脱可能に取り付けられていることを特徴とする請求項１又は２記載の光ファイバケーブル成端箱（７）。
【請求項４】
前記アダプタユニット（２３）は前記ユニット（１１）のプレート部（１２）上に設けられ、プレート部（１２）に保持された前記余長部は前記プレート部（１２）上に配設されていることを特徴とする請求項１〜３のいずれかに記載の光ファイバケーブル成端箱。
【請求項５】
本体ベース（２）にネジによって取り付けられる最下段のユニット（１１）を除く各ユニット（１１、１１、…）は、前記プレート部（１２）と、このプレート部（１２）の両側縁（１２ａ）から下方に延びるフランジ（２２）とを備える門形に構成されており、
上下方向に積層されたユニット（１１）同士は、ユニット（１１）の一方のフランジ（２２ａ）に設けられたヒンジ（２４）によって回動自在に連結されていることを特徴とする請求項４記載の光ファイバケーブル成端箱。
【発明の詳細な説明】
【０００１】
【発明の属する技術分野】
本発明は、外部から導入した光ファイバケーブルを分岐させて、出力側（室内側の光ファイバに接続するための光ファイバケーブル成端箱に関するものである。
【０００２】
【従来の技術】
周知のように、外部から建物内部等に導入した光ファイバケーブルを室内側の光ファイバに分岐接続する目的で、当該建物の壁等に光ファイバケーブル成端箱が設置される。
【０００３】
このとき、外部より導入された光ファイバケーブルは、光ファイバケーブル成端箱内部に導入され、光ファイバ心線ごとに分岐されたのち、出力側（室内側）の光ファイバ心線と光コネクタや融着接続などの手段によって光接続されることになる。一方、出力側の光ファイバは、光ファイバケーブルから導出された光ファイバ心線と接続された後、光ファイバケーブル成端箱から導出されることになる。
【０００４】
【発明が解決しようとする課題】
ところで、上記のような光ファイバケーブル成端箱の設置および光ファイバ同士の接続作業は現地において行われることが多く、そのため作業性に優れた光ファイバケーブル成端箱が求められていた。
【０００５】
特に、出力側の光ファイバは、その数が膨大なものになることが多く、また、これらは取扱いに慎重を要するものであるために、接続切り替え等の作業時には不便を生じることが多かった。したがって、これらを確実かつ安全に収納でき、かつ、接続切り替え等の作業にも容易に対応が可能であるような光ファイバケーブル成端箱が求められていた。
【０００６】
また、出力側の光ファイバとしては、光ファイバケーブルや、多心あるいは単心の光ファイバコードなど、さまざまな種類の光ファイバが想定され、これらのいずれにも対応が可能であるような光ファイバケーブル成端箱が必要とされていた。さらに、出力側の光ファイバの接続切り替え作業を行う際には、これら出力側の光ファイバの種類を変更することも想定され、その場合の作業性に関しても優れた光ファイバケーブル成端箱が望まれていた。
【０００７】
上記事情に鑑み、本発明においては、出力側の光ファイバに関して扱いが容易であり、特に、その種類の違いに対応が可能であるとともに、出力側光ファイバの種類の変更を含めた接続切り替え作業が容易に実行可能であるような光ファイバケーブル成端箱を提供することを目的とする。
【０００８】
【課題を解決するための手段】
本発明においては、上記課題を解決するために以下の手段を採用した。
請求項１記載の光ファイバケーブル成端箱は、構造物（１）に固定される本体ベース（２）の表面（３）に、外部から導入した光ファイバケーブル（４）を引き留め、この光ファイバケーブル（４）から導出した光ファイバ（５）を分岐させて、出力側光ファイバ（６）と接続し、出力側光ファイバ（６）を室内側へ導出するようにした光ファイバケーブル成端箱（７）であって、本体ベース（２）の表面（３）に、光ファイバケーブル（４）から導出された光ファイバ（５）と該光ファイバ（５）とは別の光ファイバからなる余長部（９）とを融着接続した接続部及び接続余長を収納したカセット（１８）が複数配列されてなる接続部収納部（１７）と、前記余長部を構成する光ファイバを保持するプレート部（１２）に、前記余長部（９）の一端（９ａ）と前記出力側光ファイバ（６）の一端（６ａ）とを切り替え可能に接続する光コネクタアダプタ（１６、１６、…）が配列されたアダプタユニット（２３）が固定されてなるユニット（１１）を、前記本体ベース（２）に対して複数積層状態に配置して、上下に隣り合うユニット（１１）同士をヒンジ（２４）を介して回動自在に連結してなる接続ユニット（１０）とが取り付けられ、成端箱のケーシング（Ｃ）に、光コネクタアダプタ（１６）を露出させて、光コネクタアダプタ（１６）への出力側光ファイバ６の一端（６ａ）の接続を可能とする切欠部（３０）が設けられ、接続ユニット（１０）は本体ベース（２）に対し、成端箱において前記本体ベース（２）の表面（３）に対面する側から操作可能なネジにより着脱自在に固定されていることを特徴とする。
請求項２記載の光ファイバケーブル成端箱は、構造物（１）に固定される本体ベース（２）の表面（３）に、外部から導入した光ファイバケーブル（４）を引き留め、この光ファイバケーブル（４）から導出した光ファイバ（５）を分岐させて、出力側光ファイバ（６）と接続し、出力側光ファイバ（６）を室内側へ導出するようにした光ファイバケーブル成端箱（７）であって、本体ベース（２）の表面（３）に、光ファイバケーブル（４）から導出された光ファイバ（５）と該光ファイバ（５）とは別の光ファイバからなる余長部（９）とを融着接続した接続部及び接続余長を収納したカセット（１８）が複数配列されてなる接続部収納部（１７）と、前記余長部を構成する光ファイバを保持するプレート部（１２）に、前記余長部（９）の一端（９ａ）と前記出力側光ファイバ（６）の一端（６ａ）とを切り替え可能に接続する光コネクタアダプタ（１６、１６、…）が配列されたアダプタユニット（２３）が固定されてなるユニット（１１）を、前記本体ベース（２）に対して複数積層状態に配置して、上下に隣り合うユニット（１１）同士をヒンジ（２４）を介して回動自在に連結してなる接続ユニット（１０）とが取り付けられ、成端箱のケーシング（Ｃ）に、光コネクタアダプタ（１６）を露出させて、光コネクタアダプタ（１６）への出力側光ファイバ６の一端（６ａ）の接続を可能とする切欠部（３０）が設けられていることを特徴とする。
請求項３に係る発明は、請求項１又は２記載の光ファイバケーブル成端箱において、前記接続ユニット（１０）は、該接続ユニットのユニット１１のうち最下段に位置するものをネジによって取り付けるようになっており、全体として本体ベース（２）に着脱可能に取り付けられていることを特徴とする。
請求項４に係る発明は、請求項１〜３のいずれかに記載の光ファイバケーブル成端箱において、前記アダプタユニット（２３）は前記ユニット（１１）のプレート部（１２）上に設けられ、プレート部（１２）に保持された前記余長部は前記プレート部（１２）上に配設されていることを特徴とする。
請求項５に係る発明は、請求項４記載の光ファイバケーブル成端箱において、本体ベース（２）にネジによって取り付けられる最下段のユニット（１１）を除く各ユニット（１１、１１、…）は、前記プレート部（１２）と、このプレート部（１２）の両側縁（１２ａ）から下方に延びるフランジ（２２）とを備える門形に構成されており、上下方向に積層されたユニット（１１）同士は、ユニット（１１）の一方のフランジ（２２ａ）に設けられたヒンジ（２４）によって回動自在に連結されていることを特徴とする。
【０００９】
この光ファイバケーブル成端箱においては、接続ユニットが本体ベースに対して、成端箱における前記本体ベースの表面に対面する側から着脱可能とされているため、出力側光ファイバに関する操作を本体ベースの表面に対面する側から実行できる。したがって、この光ファイバケーブル成端箱を構造物の壁等に対して表面側が外方に向くように設置すれば、出力側光ファイバに関する作業を容易に行うことができる。さらに、この光ファイバケーブル成端箱においては、接続ユニットが着脱可能であることから、接続ユニットを交換することによって、出力側光ファイバの種類変更等に容易に対応が可能となる。
【００１１】
この光ファイバケーブル成端箱においては、上記のように、接続ユニットが複数のユニットに分割されていることから、これらユニットの数を増減させることにより、一つの成端箱で出力側光ファイバの本数の違いに対応することができる。
さらに、これらユニットを、それぞれ異なる種類の出力側光ファイバを保持するように製作することによって、一つの成端箱において複数種の出力側光ファイバを扱うことが可能とされる。
また、これらユニットは積層状態に配置され、互いに連結されて全体として本体ベースに取り付けられるため、これらの設置作業および操作等も容易に行うことが可能である。
【００１２】
【発明の実施の形態】
以下、本発明の実施の形態を、図面に基づいて説明する。
図１は、本発明の一実施の形態を示す図であり、符号７は光ファイバケーブル成端箱を表す。図中、（ａ）は、光ファイバケーブル成端箱７の内部を上方から示した図であり、（ｂ）は、これを側面から示した図である。
【００１３】
光ファイバケーブル成端箱７は、構造物の壁、床、天井等に設置されて、構造物外部から導入された光ファイバケーブルを分岐させて室内側（出力側）の光ファイバケーブルと接続する目的で用いられるものである。以下に、その主要な構成を説明する。
【００１４】
光ファイバケーブル成端箱７は、図１（ｂ）に示すように、構造物１の壁や天井または床などに対して固定されて用いられ、その際には、本体ベース２の表面３が外方を向くように配置される。
【００１５】
図１（ａ）に示すように、本体ベース２の表面３側には、光ファイバケーブルを引き留めることが可能なケーブル固定部１５が設けられている。
【００１６】
出力側光ファイバ６は、多心または単心の光ファイバから構成されている。接続ユニット１０は、（ｂ）に示すように、複数のユニット１１、１１、…から構成されており、ユニット１１、１１、…におけるプレート部１２を積層状態に配置し互いに連結させることによって、全体として本体ベース２に対して着脱可能となるように配置されている。
【００１７】
各々のユニット１１、１１、…には、光コネクタアダプタ１６、１６、…が配列されて固定されており、この光コネクタアダプタ１６、１６、…には、出力側光ファイバ６の一端６ａが挿入されて固定されるとともに、余長部９の一端９ａが挿入され、これらが光接続されている。
【００１８】
余長部９の一端９ａとは反対側の端部は、接続部収納部１７に導入され、光ファイバケーブルから導出された光ファイバ心線と融着接続により光接続されている。接続部収納部１７は、本体ベース２の表面３に設けられ、薄板状に形成された長円状のカセット１８、１８、…を配列してなるものであり、カセット１８、１８、…には、光ファイバケーブルから導出された光ファイバ心線と余長部９とが導入され、その内部において図示しない接続部および接続余長が収納されている。また、これらに対し、図１（ｂ）中に一点鎖線で示したようなケーシングＣが設けられる。
【００１９】
図２は、光ファイバケーブル４をケーブル固定部１５に固定した場合の状態を示した図である。光ファイバケーブル４は、被覆が除去され、その断面中心に配置されるテンションメンバ１９と、テンションメンバ１９の周囲に配置される光ファイバ５とが露出された状態でケーブル固定部１５に引き留められる。テンションメンバ１９は、テンションメンバ固定部２０によって固定され、一方、導出された光ファイバ５の先端は接続部収納部１７におけるカセット１８、１８、…に収納される。
【００２０】
図２に示すように、接続部収納部１７に対しては、光ファイバケーブル４から導出された光ファイバ５の他に、出力側光ファイバ６と接続された余長部９もまた配設されている。これらの光ファイバ５および余長部９は、交互に配列させられ、スポンジによって形成された導入孔２１から接続部収納部１７の内部に挿通される。さらに、互いに隣接して配列された一対の光ファイバ５および余長部９は、同一のカセット１８の内部に導入され、カセット１８の内部において融着接続により光接続されることとなる。
【００２１】
図３は、本体ベース２の表面３上に設置された接続ユニット１０の構造の詳細を示す図であり、図１（ａ）において矢印Ａによって示した方向から接続ユニット１０を示したものである。図に示すように、接続ユニット１０を構成する個々のユニット１１、１１、…は、プレート部１２と、プレート部１２の両側縁１２ａに設けられたフランジ２２を備えて構成されており、プレート部１２には、光コネクタアダプタ１６が配列されたアダプタユニット２３が固定されている。上下方向に積層されたユニット１１同士は、ヒンジ２４によって回動自在に連結されており、ヒンジ２４が設けられたフランジ２２ａの反対側に位置するフランジ２２ｂには、上下に接するユニット１１同士を固定する連結具２５が設けられている。なお、最下段に位置するユニット１１にはフランジ２２は設けられず、プレート部１２およびアダプタユニット２３を有するのみとされる。
【００２２】
接続ユニット１０を本体ベース２上に設置する際の状況を模式的に示したのが図４である。図４に示すように、ユニット１１は、本体ベース２に対し、最下段に位置するものから順々に取り付けることができる。この際の具体的な手順としては、まず、図５に示すように、本体ベース２上に、ユニット１１のうち最下段に位置するものを取付手段（ネジ）によって取り付け、ついで、その上から、図６に示すように、別のユニット１１をヒンジ２４を介して次々に設置していけばよい。
【００２３】
図７は、ユニット１１の数を増設した場合の光ファイバケーブル成端箱７の状況を、図１におけるＡ方向から示した場合の図であり、（ａ）は、増設前の状況を、（ｂ）は、（ａ）の状態からユニット１１を増設した場合の状況を示している。ケーシングＣには、光コネクタアダプタ１６を露出させるとともに、ユニット１１を積層させて増設することを可能とする切欠部３０が設けられており、ここから光コネクタアダプタ１６が露出するようになっている。
このように、本実施の形態の光ファイバケーブル成端箱７においては、接続ユニット１０が、ユニット１１を容易に増設可能とする構成とされている。
【００２４】
以上が、本実施の形態の主要な構成であるが、本実施の形態の光ファイバケーブル成端箱７は、工場出荷時においては、本体ベース２に接続部収納部１７およびケーブル固定部１５のみが配設された状態とされる。この状態で接続現場に搬入された光ファイバケーブル成端箱７は、まず、構造物１の壁等に対して設置される。次に、光ファイバケーブル４がケーブル固定部１５に対して図２に示したように固定されるとともに、本体ベース２の表面３に対しては、接続ユニット１０が配置される。接続ユニット１０の配置は、図４、図５、図６に示したように、まずユニット１１の内、最下段に位置するものが本体ベース２に対して設置され、次いで、その上から別のユニット１１が次々に配置されることにより行われる。また、各々のユニット１１の設置に際し、ユニット１１上に余長部９が配設されることにより接続ユニット１０が形成される。
【００２５】
余長部９は、接続ユニット１０から導出され、接続部収納部１７の後方を迂回するように配設された後、接続部収納部１７に導入される。このとき、光ファイバケーブル４から導出された光ファイバ５の先端も同様に接続部収納部１７内部に導入され、これら余長部９および光ファイバ５の先端同士は融着接続により光接続されるとともに、これらの接続部および接続に伴い生じた接続余長が、接続部収納部１７におけるカセット１８中に収納される。
【００２６】
さらに、接続ユニット１０に固定された光コネクタアダプタ１６には、出力側光ファイバ６の端部６ａが挿入され、これによって光ファイバケーブル４から導出された光ファイバ５と出力側光ファイバ６とが、余長部９を介して接続されることになる。
【００２７】
このように、本実施の形態の光ファイバケーブル成端箱７によれば、接続ユニット１０において、多数の出力側光ファイバ６を固定、収納することが可能であり、その接続切り替えに関しても、光コネクタアダプタ１６が成端箱を構成するケーシングＣ外部に露出された構造とされているため、容易に行うことが可能である。
【００２８】
また、本実施の形態においては、接続ユニット１０が、成端箱において本体ベース２の表面３に対面する側から着脱可能な構成とされているため、現地において接続ユニット１０の設置作業を容易に行うことができる。さらに、接続ユニット１０は、図３に示すように積層状態に配置されたユニット１１、１１、…からなり、しかもこれらユニット１１、１１、…は、図６に示すように、それぞれが着脱可能とされているため、出力側光ファイバ６を増設する必要がある場合にも容易に対処することが可能である。また、接続ユニット１０が上記のような構成とされていることから、出力側光ファイバ６の増設に係る作業性も優れたものとすることができる。
【００２９】
（参考例）
なお、上記実施の形態における接続ユニット１０の形状は、図８、図１０に示すようなものとすることもできる。図８（ａ）（ｂ）は、接続ユニット１０を、光ファイバコードからなる出力側光ファイバ６を固定可能とするように構成した場合の図であり、（ａ）は、その場合の光ファイバケーブル成端箱７の内部を上方から示したものであり、（ｂ）は、同内部を側方から示したものである。出力側光ファイバ６は、接続ユニット１０に設けられたコード固定部２６に対して固定され、出力側光ファイバ６から導出された光ファイバ２７は、図１に示した上記実施の形態と同様に、接続部収納部１７におけるカセット１８の内部へ収納され、カセット１８の内部において光ファイバケーブル４から導出された光ファイバ５と接続されることとなる。
【００３０】
この場合も、接続ユニット１０は、上記実施の形態と同様に、成端箱においてベース本体２の表面３に対面する側から着脱可能であり、したがって、その作用・効果についても上記実施の形態と同様のものが得られる。
【００３１】
また、図８（ｂ）に示すように、接続ユニット１０は、図１に示したものと同様に個々のユニット１１に分割可能である。図９は、これらユニット１１を本体ベース２に対して設置する際の状況を模式的に示した図であり、この場合もユニット１１は、図４に示した上記の実施の形態の場合と同様に、積層させて増設することが可能である。したがって、出力側光ファイバ６の本数を増設する必要がある場合には、ユニット１１を積層させて増設することにより対応が可能とされる。
【００３２】
一方、図１０（ａ）（ｂ）は、接続ユニット１０を光ファイバケーブルからなる出力側光ファイバ６を固定可能とするように構成したものであり、（ａ）は、その場合の光ファイバケーブル成端箱７の内部を上方から示した図であり、（ｂ）は、同内部を側方から示した図である。
【００３３】
この例においては、接続ユニット１０が、ケーブル固定部１５と同様の構成とされており、光ファイバケーブルからなる出力側光ファイバ６を固定することが可能とされている。
また、この場合、（ａ）に示すように、出力側光ファイバ６から導出された光ファイバ２７は、図１（ａ）において示されたように接続部固定部１７の周囲を迂回して配線されることなく、直接、接続部固定部１７に導入され、カセット１８内部において、光ファイバケーブル４から導出された光ファイバと接続されることとなる。また、この場合の接続ユニット１０の設置の際の状況を、図４、図９と同様に示したのが図１１である。
【００３４】
図８、図１０に示したように、接続ユニット１０は、出力側光ファイバ６が光ファイバコードや光ファイバケーブルから構成されている場合においても、それらに対応した形状とすることが可能である。したがって、出力側の光ファイバ６の接続切り替え時に、出力側の光ファイバ６の種類の変更を行う必要がある場合にも、接続ユニット１０の種類を変更することで対処が可能である。
【００３５】
また、一つの光ファイバケーブル成端箱において、複数種の出力側光ファイバを扱う必要がある場合には、それぞれ異なる種類の出力側光ファイバを扱うことができるユニット１１を積層することによって接続ユニット１０を形成するようにすればよい。また、単一のユニットにおいて複数種の出力側光ファイバを扱うようにすることも可能である。このような場合の例を図１２ないし図１５において示す。
【００３６】
図１２は、単一のユニット１１において光ファイバケーブルおよび光ファイバコードの双方を扱うようにした場合の例であり、図７に示した図と同様の方向から光ファイバケーブル成端箱７を図示したものである。図に示すようにユニット１１は、光ファイバコードが固定可能なコード固定部２６およびケーブル固定部２８の双方を備えた構成とされている。
また、図１３は、図１２に示したユニット１１の上に、コード固定部２６を備えた別のユニット１１を積層させたものであり、このようにして出力側光ファイバの増設に対応することができる。
【００３７】
また、図１４において示す光ファイバケーブルを扱うことが可能なユニット１１に、さらにコード固定部２６を備えたユニット１１を積層させて図１５に示すようなものとしてもよい。さらに、これらユニット１１としては、図７（ａ）（ｂ）において示したものを使用してもよく、また、図７または図１２ないし１５に示したようなユニット１１を組み合わせて使用するようにしても構わない。
【００３８】
以上のように、本発明の光ファイバケーブル成端箱は、出力側光ファイバの接続切り替え時において、出力側光ファイバの種類の変更にも対応が可能であり、またその場合の作業性も優れたものとすることができる。さらに、一つの光ファイバケーブル成端箱において、複数種の出力側光ファイバを扱うようにすることも可能である。
【００３９】
【発明の効果】
以上説明したように、本発明に係る光ファイバケーブル成端箱によれば、出力側光ファイバが固定された接続ユニットが、本体ベースに対してその表面に対面する側から操作可能なネジによって着脱可能に固定されることから、出力側光ファイバに関する操作を本体ベースの表面に対面する側から実行でき、これによって、現地での設置作業や、出力側光ファイバの接続切り替え作業等の容易化を図ることができる。
この光ファイバケーブル成端箱によれば、接続ユニットにおいて、多数の出力側光ファイバを固定、収納することが可能であり、その接続切り替えに関しても、光コネクタアダプタが成端箱を構成するケーシング外部に露出された構造とされているため、容易に行うことが可能である。
【００４０】
また、本発明によれば、接続ユニットが複数の積層されたユニットから構成されていることから、出力側の光ファイバを増設する必要が生じた場合に、ユニットを増設することによって対応が可能となる。また、各々のユニットを、異なる種類の出力側光ファイバを固定できるように構成することによって、一つの成端箱において複数種の出力側光ファイバを扱うことが可能とされ、その結果、汎用性の高い光ファイバケーブル成端箱が実現される。
【図面の簡単な説明】
【図１】  本発明の一実施の形態を示す図であり、（ａ）は光ファイバケーブル成端箱内部を上方から示した図、（ｂ）は同内部を側方から示した図である。
【図２】  図１において示した光ファイバケーブル成端箱に、光ファイバケーブルを固定した場合の状況を上方から示した図である。
【図３】  図１において示した接続ユニットの詳細を示す正面図である。
【図４】  本体ベースに対して接続ユニットを固定する際の状況を模式的に示す斜視図である。
【図５】  本体ベースに対して接続ユニットを固定する際の手順を示す図である。
【図６】  ユニットを積層させて増設する際の手順を示すための図である。
【図７】  ユニットを積層させて増設した場合の状況を示す正面図であり、（ａ）は増設前の状況、（ｂ）は増設後の状況を示す図である。
【図８】  図１に示した光ファイバケーブル成端箱における、接続ユニット部分の変形例を示す図であり、（ａ）は光ファイバケーブル成端箱内部を上方から示した図、（ｂ）は同内部を側方から示した図である。
【図９】  図８において示した接続ユニットを本体ベースに対して固定する際の状況を模式的に示す斜視図である。
【図１０】  図１に示した光ファイバケーブル成端箱における、接続ユニット部分の図８とは別の変形例を示す図であり、（ａ）は光ファイバケーブル成端箱内部を上方から示した図、（ｂ）は同内部を側方から示した図である。
【図１１】  図１０において示した接続ユニットを本体ベースに対して固定する際の状況を模式的に示す斜視図である。
【図１２】  ユニットの他の変形例を示す正面図である。
【図１３】  図１２に示したユニットに、さらに他のユニットを積層させて載置した場合の状況を示す正面図である。
【図１４】  ユニットの一例を示す正面図である。
【図１５】  図１４に示したユニットに、さらに他のユニットを積層させて載置した場合の状況を示す正面図である。
【符号の説明】
１…構造物、２…本体ベース、３…表面、４…光ファイバケーブル、５…光ファイバ、６…出力側光ファイバ、７…光ファイバケーブル成端箱、８…光ファイバ支持体、９…余長部、１０…接続ユニット、１１…ユニット、１２…プレート部。
【図１】
0003703923.tif 000002
【図２】
0003703923.tif 000003
【図３】
0003703923.tif 000004
【図４】
0003703923.tif 000005
【図５】
0003703923.tif 000006
【図６】
0003703923.tif 000007
【図７】
0003703923.tif 000008
【図８】
0003703923.tif 000009
【図９】
0003703923.tif 000010
【図１０】
0003703923.tif 000011
【図１１】
0003703923.tif 000012
【図１２】
0003703923.tif 000013
【図１３】
0003703923.tif 000014
【図１４】
0003703923.tif 000015
【図１５】
0003703923.tif 000016